(57)【要約】【課題】水槽を樹脂で形成することにより安価に製造するとともに、脱水行程時の洗濯物のアンバランス状態にも耐えうることができる信頼性の高いドラム式洗濯機を提供する。【解決手段】回転ドラム３を内包する樹脂製の水槽２と、水槽２の背面に取り付けられ回転ドラム３を駆動するドラム駆動モータ５を支持するとともに回転ドラム３を軸支する軸受部４と、水槽２の下部に取り付けられ水槽２の振動を低減する防振ダンパー７の一端が固定された台座部１１とを備えており、一端が軸受部４と連結し、他端が台座部１１と連結する補強部材１２を設けることで、脱水行程時の洗濯物のアンバランス状態にも耐えうる水槽２を安価な樹脂材料で複雑な構造も製造可能とした。【選択図】図１
2006061355.tif 000002
【特許請求の範囲】
【請求項１】
略水平方向または略傾斜方向に回転軸を有する回転ドラムと、前記回転ドラムを内包する樹脂製の水槽と、前記回転ドラムを駆動するドラム駆動モータと、前記水槽の背面に取り付けられ前記ドラム駆動モータを支持するとともに前記回転ドラムを軸支する軸受部と、前記水槽の振動を低減する防振ダンパーと、前記水槽の下部に取り付けられ前記防振ダンパーの一端が固定された台座部とを備え、前記軸受部と台座部間には、一端が前記軸受部と連結し、他端が前記台座部と連結する補強部材を設けたドラム式洗濯機。
【請求項２】
補強金具は、台座部と連結する部分の略中央部が開口した口字型とした請求項１記載のドラム式洗濯機。
【発明の詳細な説明】
【技術分野】
【０００１】
本発明は、洗濯物を収容した回転ドラムを回転駆動して洗濯、すすぎ、脱水の各行程を行うドラム式洗濯機に関するものである。
【背景技術】
【０００２】
従来、この種のドラム式洗濯機は回転ドラムをその回転軸心が水平方向あるいは水平方向から傾斜した状態にして水槽内に配設されているため、回転ドラム内に洗濯物を収容して回転させると、洗濯物や水が下方に偏りがちになるため振動が発生しやすくなる。特に、回転ドラムを高速回転させて脱水工程を実施するとき、回転ドラム内の洗濯物が偏った位置に集まっている状態、すなわち洗濯物のアンバランス状態になると、回転ドラムを収容する水槽に大きな振動が発生する。このような回転ドラムの回転に伴う振動を抑制するために、水槽を緩衝力の大きな防振ダンパーによって支持して振動振幅を低減したものが知られている（例えば、特許文献１参照）。
【特許文献１】特開平６−３２７８９２号公報
【発明の開示】
【発明が解決しようとする課題】
【０００３】
しかしながら、このような従来のドラム式洗濯機においては、回転ドラムを収容した水槽は、その後方に回転ドラムの回転軸を軸支する軸受やドラム駆動モータなどが取り付けられ、また、その胴部に防振ダンパーが取り付けられているため、水槽自身には、剛性、強度が必要であった。したがって、水槽は、ステンレス製にして強度を確保するのが普通であった。
【０００４】
しかしながら、水槽にはいろいろな部品、例えば、開口部を覆うパッキング部材、排水ホース、給水ホース等を取り付ける必要があるが、ステンレスのような金属で作ると、複雑な構造を形成できないため、前記のいろいろな部品を取り付けるための部品を別途作成し、その後、その部品を水槽に溶接して取り付けるといった作業が必要であり、製造に非常に手間がかかるものになっていた。
【０００５】
そこで、上記問題を解決するために、樹脂で水槽を形成することが考えられるが、樹脂は一般的に強度が低く、強度を確保するためには、強度のある非常に高価な樹脂を使うか、あるいは非常に肉厚の構造とする必要があり、製品としての実用化が難しいものであった。
【０００６】
また、樹脂の場合は、その剛性は温度による依存性が大きく、特に、洗濯にお湯を使うような場合は、剛性、強度ともに、常温で使用する場合に比較して大きく低下し、洗濯直後に大きなアンバランス荷重の伴う脱水を行うと、大きな負荷が水槽にかかり、水槽が破損するといった課題も考えられた。
【０００７】
本発明は、前記従来の課題を解決するもので、水槽を樹脂で形成することにより安価に製造するとともに、脱水行程時の洗濯物のアンバランス状態にも耐えうることができるドラム式洗濯機を提供することを目的とする。
【課題を解決するための手段】
【０００８】
本発明は上記目的を達成するために、略水平方向または略傾斜方向に回転軸を有する回転ドラムと、前記回転ドラムを内包する樹脂製の水槽と、前記回転ドラムを駆動するドラム駆動モータと、前記水槽の背面に取り付けられ前記ドラム駆動モータを支持するとともに前記回転ドラムを軸支する軸受部と、前記水槽の振動を低減する防振ダンパーと、前記水槽の下部に取り付けられ前記防振ダンパーの一端が固定された台座部とを備え、前記軸受部と台座部間には、一端が前記軸受部と連結し、他端が前記台座部と連結する補強部材を設けたドラム式洗濯機である。
【０００９】
これによって、水槽が複雑な形状が簡単に形成できるので安価に製造することができるとともに、補強部材により軸受部と台座部間を確実に連結できるので、脱水行程時に洗濯物のアンバランスが発生し、そのときに生じる軸受部と台座部間の荷重の位相差を抑えることができるので、脱水行程時の洗濯物のアンバランス状態にも耐えうることができる。
【発明の効果】
【００１０】
本発明のドラム式洗濯機は、水槽を樹脂で形成することにより安価に製造するとともに、脱水行程時の洗濯物のアンバランス状態にも耐えうることができる信頼性の高いドラム式洗濯機を実現することができる。
【発明を実施するための最良の形態】
【００１１】
第１の発明は、略水平方向または略傾斜方向に回転軸を有する回転ドラムと、前記回転ドラムを内包する樹脂製の水槽と、前記回転ドラムを駆動するドラム駆動モータと、前記水槽の背面に取り付けられ前記ドラム駆動モータを支持するとともに前記回転ドラムを軸支する軸受部と、前記水槽の振動を低減する防振ダンパーと、前記水槽の下部に取り付けられ前記防振ダンパーの一端が固定された台座部とを備え、前記軸受部と台座部間には、一端が前記軸受部と連結し、他端が前記台座部と連結する補強部材を設けたことにより、水槽が複雑な形状が簡単に形成できるので安価に製造することができるとともに、補強部材により軸受部と台座部間を確実に連結できるので、脱水行程時に洗濯物のアンバランスが発生し、そのときに生じる軸受部と台座部間の荷重の位相差を抑えることができるので、脱水行程時の洗濯物のアンバランス状態にも耐えうることができる。
【００１２】
第２の発明は、特に、第１の発明の補強金具は、内方部が開口した口字型とことにより、曲げ剛性、ねじり剛性を確保しつつ、水槽の下部に排水口を設けるスペースが確保することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるドラム式洗濯機の縦断面図、図２は、同ドラム式洗濯機の水槽ユニットの底面図、図３（ａ）は、同ドラム式洗濯機の補強部材の断面図、図３（ｂ）は、同ドラム式洗濯機の補強部材の底面図である。
【００１５】
図において、水槽ユニット１は、樹脂製の水槽２内に回転ドラム３を収容し、回転ドラム３の回転軸３ａを水槽２の背面にねじ止め固定された軸受部４で軸支するとともに、回転軸３ａにドラム駆動モータ５のロータ５ａを連結し、ドラム駆動モータ５のステータ５ｂを軸受部４にねじ止め固定して構成されている。
【００１６】
この水槽ユニット１は洗濯機筐体６内に前上がりの状態に傾斜させて配設され、洗濯機筐体６の基底部に取り付けられた左右一対の防振ダンパー７によって、その重量が支持されている。水槽ユニット１は、その背面側に軸受部４やドラム駆動モータ５などの重量の大きな構成要素が取り付けられているため、重心位置は背面寄りにあり、防振ダンパー７は水槽ユニット５をその重心位置より正面側寄りの下方で支持している。更に、水槽２の上部に固定された上部支持金具８と洗濯機筐体６の上面との間にコイルバネ９が架設され、水槽ユニット５を正面側及び上方側に向けて付勢している。このコイルバネ９の架設により重心位置より正面側寄りで防振ダンパー７により支持された水槽ユニット１が背面側に倒れる状態になるのが補正される。
【００１７】
防振ダンパー７は、シリンダ内にオイルを封入したオイルダンパー機構７ａと、このオイルダンパー機構７ａと同軸に設けられたコイルバネ機構７ｂとを備えて構成され、オイルダンパー機構７を構成するピストンロッド７ｃの下端部は、洗濯機筐体６の基底部に固定された支持台１０に緩衝材７ｄを介して固定される。また、オイルダンパー機構７の上端部は、水槽３の下部にねじ止め固定された台座部１１に緩衝材７ｄを介して固定される。
【００１８】
軸受部４と台座部１１間には、一端が軸受部４とねじ止め固定され、他端が台座部１１とねじ止め固定された補強部材１２が設けられている。この補強部材１２は、くの字型の形状に折り曲げられた金属部材にて形成されている。補強部材１２の台座部１１側は、略中央部に開口部１２ａを有し、口字型の形状としており、開口部１２ａを介して、水槽２内の洗濯水を排水するための排水口１３を設けている。このように、補強部材１２の台座部１１側を口型形状にすることにより、断面係数が大きくとれ、強度、剛性の確保が可能となる。また、補強部材１２の外周部には、フランジ部１２ｂを設けることにより、略コの字型をしており、断面係数の大きな、ネジレ剛性の強い形状にしている。
【００１９】
さらに、開口部１２ａの外周はフランジ１２ｃを設けた構造とし、また、軸受部４の取付部１２ｄと台座部１１の取付部１２ｅのくの字型の形状の折り曲げ部分１２ｆには、ビード１２ｇを設けて、強度、剛性を上げている。
【００２０】
回転ドラム３は、その回転軸方向が図示するように開口する正面側から底面となる背面側に向けて下向き傾斜となるように傾斜配置されているため、洗濯機筐体６の正面側に形成された傾斜面６ａに開閉自在に設けられた扉体１４を開くと、回転ドラム３に対する洗濯物の出し入れする作業に際して腰を屈める具合が少なくてすみ、ドラム式洗濯機の正面側に余裕のある空間を確保する必要もないので、洗面所などの狭い空間にも設置可能なドラム式洗濯機に構成することができる。
【００２１】
上記構成により、水槽２を樹脂で成形しているので、複雑な形状が簡単に形成でき、安価にドラム式洗濯機を製造することができるとともに、補強部材１２により軸受部４と台座部１１間を確実に連結できるので、脱水行程時に洗濯物のアンバランスが発生しても、そのときに生じる軸受部４へ掛る負荷と、防振ダンパー７により台座部１１へ掛る負荷との間の位相差を補強部材１２により保持することができるので、水槽２に掛る負荷を小さくすることができ、水槽２の信頼性を向上させることができる。
【００２２】
なお、上記実施の形態の形態では、回転ドラム３の回転軸３ａを傾斜させて配置したが、回転ドラム３の回転軸３ａを水平方向に配置した場合においても同様の効果を得ることができる。
【００２３】
また、図１に示すように、軸受部１２の背面側に乾燥機能のためのユニット１５を設け、ドラム式洗濯乾燥機としても、同等の効果を得ることができる。
【産業上の利用可能性】
【００２４】
以上の説明の通り本発明によれば、回転ドラムを水槽内に収容したドラム式洗濯機において、水槽を複雑な形状を作ることが可能な樹脂で成型し、かつ補強金具により、水槽全体として強度のあるものが実現可能となるので、ドラム式洗濯機およびドラム式洗濯乾燥機として有用である。
【図面の簡単な説明】
【００２５】
【図１】本発明の第１の実施の形態におけるドラム式洗濯機の縦断面図
【図２】同ドラム式洗濯機の水槽ユニットの底面図
【図３】（ａ）同ドラム式洗濯機の補強部材の断面図（ｂ）同ドラム式洗濯機の補強部材の底面図
【符号の説明】
【００２６】
２  水槽
３  回転ドラム
４  軸受部
５  ドラム駆動モータ
７  防振ダンパー
１１  台座部
１２  補強部材
【図１】
2006061355.tif 000003
【図２】
2006061355.tif 000004
【図３】
2006061355.tif 000005